(57)【要約】【課  題】給水しないで乾式でワイヤーソーイングを行っても、ワイヤーの放熱効果を上げ、かつ切削時に発生する粉塵の搬出が行えるワイヤーソーイング用のワイヤーを提供する。【解決手段】ステンレス鋼などを材質とするワイヤ本体１１と、ダイヤモンドチップが埋め込まれ、ワイヤ本体１１に挿入装着されるリング状のビーズ１２と、ビーズ間に介在してワイヤー本体１１に挿入されるコイルスプリング１３と、同じくビーズ間に介在し、スプリング１３を被覆して成形されるゴム又は樹脂の成形材１４とよりなり、該成形材１４は、長手方向に定間隔で突設する環状の突起２２により表面が凹凸に形成される。【選択図】  図４
2005022024.tif 000002
【特許請求の範囲】
【請求項１】
鋼製のワイヤ本体と、ダイヤモンドチップが埋め込まれ、ワイヤ本体に挿入装着されるビーズと、ビーズ間に介在し、少なくとも一部が非耐熱性の可撓性を有するスペーサよりなるワイヤーソーイング用のワイヤーにおいて、上記スペーサは表面が凹凸に形成されることを特徴とするワイヤーソーイング用のワイヤー。
【請求項２】
スペーサがゴム又は樹脂の成形材よりなり、該成形材の表面が凹凸に形成されることを特徴とする請求項１記載のワイヤーソーイング用のワイヤー。
【請求項３】
スペーサがビーズ間のワイヤ本体に装着されるコイルスプリングと該コイルスプリングを被覆するゴム又は樹脂の成形材よりなり、該成形材の表面が凹凸に形成されることを特徴とする請求項１記載のワイヤーソーイング用ワイヤー。
【請求項４】
スペーサがワッシャーを含む複数のリング状の部材をワイヤ本体の長手方向に重ねることによって構成され、各部材のうち、少なくとも一つの部材は隣接する部材よりも径が大又は小に形成されることを特徴とする請求項１記載のワイヤーソーイング用のワイヤー。
【発明の詳細な説明】
【０００１】
【発明が属する技術分野】
本発明は、コンクリートや鉄筋コンクリート造り、或いはレンガやコンクリートブロック造り等の構造物（以下、単に「鉄筋コンクリート構造物等」という）をワイヤーソーイングにより切削する切断装置において用いられるワイヤーに関する。
【０００２】
【従来技術】
図１は、ワイヤーソーイングによる切断装置について示すもので、鉄筋コンクリート構造物等１にアンカーボルト等により取外し可能に止着される取付台２と、該取付台２より突設され、ラック３を添設したメインポール４と、モータにより回転駆動されるメインプーリ５及び上記ラック３に噛合して転動するピニオンを備え、メインポール４に移動可能に装着される自走台６と、メインポール４に直交して固定されるガイドバー７と、ガイドバー７に取外し可能に止着され、それぞれが同一平面上に位置する複数のガイドプーリ８ａ、８ｂ、８ｃ、８ｄと、鉄筋コンクリート構造物等１とメインプーリ５との間にガイドプーリ８ａ、８ｂ、８ｃ、８ｄを介して掛け渡されるダイヤモンドワイヤー９よりなり、鉄筋コンクリート構造物等１の切削時には、メインプーリ５を回転駆動して鉄筋コンクリート構造物等１に掛けられるダイヤモンドワイヤー９を牽引し、これにより鉄筋コンクリート構造物等１をワイヤーソーイングしながら自走台６を後退させて切断の進行に伴って発生するワイヤー９の弛みを吸収するようになっている。
【０００３】
こうしたワイヤーソーイング時には、従来、図１に示すように入側と出側のダイヤモンドワイヤー９と鉄筋コンクリート構造物等１が接する箇所に図示するように給水しながら作業している。
【０００４】
図２は、図１に示す切断装置で用いるダイヤモンドワイヤー９について示すもので、ステンレス鋼などを材質とするワイヤ本体１１と、金属製のベース１０上にダイヤモンド砥粒入りで成形され、ワイヤ本体１１に挿入装着されるリング状のビーズ１２と、ビーズ間に介在してワイヤー本体１１に挿入されるコイルスプリング１３と、ビーズ間のワイヤ本体上にスプリング１３を被覆して形成されるゴム又は樹脂の成形材１４とよりなっている。
【０００５】
図３は、特許文献１に開示されるダイヤモンドワイヤーについて示すもので、ワイヤ本体１１と、ワイヤ本体１１に挿入装着されるダイヤモンド砥粒入りで成形されたビーズ１２と、ビーズ間に介在するゴム又は樹脂製のスリーブ１６、金属製のワッシャー１７及びゴム又は樹脂製のワッシャー１８よりなり、ワッシャー１７及び１８はワッシャー１７を間に重ね、スリーブ１６の両側に配置した構造となっている。
【０００６】
【特許文献１】特開昭６４−１４４７３号
【０００７】
【発明が解決しようとする課題】
ワイヤーの冷却と粉塵の発生防止の為に行われる切削箇所への給水には多量の水が必要で、使用した水が粉塵の混ざったヘドロ水となって、その回収及び処理に多大な手間がかかるうえ、給水した水が周囲に飛散しないようにシートで覆うなどの養生作業も必要となる。
【０００８】
そこで本発明は、給水しないでワイヤーソーイングを行おうとするものであるが、それにはワイヤーの発熱対策と切り粉の回収対策が必要である。
本発明の目的は、ワイヤーの発熱対策と切り粉の回収対策を備えたワイヤーソーイング用のワイヤーを提供しようとするものである。
【０００９】
【課題の解決手段】
請求項１に係わる発明は、鋼製のワイヤ本体と、ダイヤモンドチップが埋め込まれ、ワイヤ本体に挿入装着されるビーズと、ビーズ間に介在し、少なくとも一部が非耐熱性の可撓性を有するスペーサよりなるワイヤーソーイング用のワイヤーにおいて、上記スペーサは表面が凹凸に形成されることを特徴とする。
【００１０】
本発明によると、スペーサ表面の放熱面積が増加して放熱量が増大すると共に、鉄筋コンクリート構造物等の切削により発生した粉塵が凹凸部に絡まって搬送されるようになる。
【００１１】
請求項２に係わる発明は、請求項１に係わる発明のスペーサがゴム又は樹脂の成形材よりなり、該成形材の表面が凹凸に形成されることを特徴とし、
請求項３に係わる発明は、請求項１に係わる発明のスペーサがビーズ間のワイヤ本体に装着されるコイルスプリングと、該コイルスプリングを被覆するゴム又は樹脂の成形材よりなり、該成形材の表面が凹凸に形成されることを特徴とする。
【００１２】
請求項２及び３に係わる発明によると、表面が凹凸をなす成形材を一体に成形することができ、これにより製造が容易となる。
上記各発明の成形材は、ビーズ間のワイヤ本体上にモールド成形することにより形成してもよいし、スリーブよりなってワイヤ本体に挿入されるようにしてもよい。
【００１３】
請求項４に係わる発明は、請求項１に係わる発明のスペーサがワッシャーを含む複数のリング状の部材をワイヤ本体の長手方向に重ねることによって構成され、各部材のうち、少なくとも一つの部材は隣接する部材よりも径が大又は小に形成されることを特徴とする。
【００１４】
請求項４に係わる発明によれば、部材のうちの一部を金属製にして放熱効果を高め、また部材を変えたり、その組合せを変えることにより、表面の凹凸形状を変えることができる。
【００１５】
【発明の実施の形態】
図４に示すダイヤモンドワイヤー２１は、図２に示すダイヤモンドワイヤー９において、ゴム又は樹脂の成形材１４の表面形状を長手方向に一定の間隔で突設する環状の突起２２により凹凸に形成したものである。
別の実施形態では、表面形状を凹凸に形成したゴム又は樹脂の成形材がスリーブに形成され、該スリーブがワイヤ本体１１に挿入装着される。
【００１６】
図５に示すダイヤモンドワイヤー２４は、図３に示すダイヤモンドワイヤーにおいて、金属製のワッシャー１７の径を両隣のゴム又は樹脂製のワッシャー１８の径より大にし、かつゴム又は樹脂製のスリーブ１６の径をワッシャー１８の径より大にして表面形状を凹凸に形成したものである。
【００１７】
【発明の効果】
請求項１に係わる発明によると、ワイヤーの表面が凹凸形状をなすことにより放熱面積が増加し、また切削時に発生する粉塵がワイヤー表面に付着して効率良く搬送・回収されることにより、切削箇所に給水しないで乾式でも切削作業を行うことができること、ワイヤー冷却のため出側のワイヤーにミストを噴霧する場合でも冷却効果が上がること、などの効果を奏する。
【００１８】
請求項２及び３に係わる発明によると、表面が凹凸をなす成形材を一体に成形することにより製造が容易で製造コストが低減される。
請求項４に係わる発明によると、ビーズ間の部材を変えたり、その組合せを変えることにより表面の凹凸形状を変えることができ、また部材のうちの一部を熱伝導率のよい金属製とすることにより放熱効果を上げることができる。
【図面の簡単な説明】
【図１】切断装置の正面図。
【図２】従来のダイヤモンドワイヤーの部分断面平面図。
【図３】従来の別のダイヤモンドワイヤーの部分断面平面。
【図４】本発明に係わるダイヤモンドワイヤーの部分断面平面図。
【図５】本発明に係わるダイヤモンドワイヤーの別の例の部分断面平面図。
【符号の説明】
９、２１・・ダイヤモンドワイヤー
１０・・ベース
１１・・ワイヤ本体
１２・・ビーズ
１３・・コイルスプリング
１４・・成形材
１６・・スリーブ
１７、１８・・ワッシャー
２２・・突起
【図１】
2005022024.tif 000003
【図２】
2005022024.tif 000004
【図３】
2005022024.tif 000005
【図４】
2005022024.tif 000006
【図５】
2005022024.tif 000007